(57)【要約】      （修正有）【課題】構造の簡略化とスカムの流れの円滑化および設備施工のし易さなどの点で改善を加えたスカム除去装置を提供する。【解決手段】沈澱池１における水面７を境に上下するように設けられた堰１３と誘引したスカムＳを導出可能なスカム誘引導出部分：トラフ１０とを有するとともに、前記堰１３を上下駆動させる駆動手段３７を有するスカム除去装置において、前記駆動手段３７は電動式として池上に設置されてソーラー発電により駆動されるように構成されていることを特徴とする。【選択図】図１
2012024748.tif 000002
【特許請求の範囲】
【請求項１】
沈澱池などの処理池における水面を境に上下するように設けられた堰手段と誘引したスカムを導出可能なスカム誘引導出部分とを有するとともに、前記堰手段を上下駆動させる駆動手段を有するスカム除去装置において、前記駆動手段は電動式として池上に設置されてソーラー発電により駆動されるように構成されていることを特徴とするスカム除去装置。
【発明の詳細な説明】
【技術分野】
【０００１】  この発明は、スカム除去装置に関する。
【背景技術】
【０００２】  沈澱物を掻き寄せるため処理池において循環駆動自在に装備された汚泥掻寄部材側の動きに連動する連動機構と、同連動機構の動きに応動して水面のスカムを堰き止めた状態と誘引する状態に交互に切り換えられる堰手段を備えたスカム誘引導出装置とを有するスカム除去装置があり、前記連動機構は、汚泥掻寄部材側の軌道上に臨み汚泥掻寄部材側により一定の時間帯軌道外に押し退けられるカム部分と、該カム部分と前記堰手段側とを連動可能にする伝達部分とを有する連動部材と、少なくとも前記連動部材を汚泥掻寄部材側により上下連動可能に支持する案内支持手段を備えてなることを特徴とするスカム除去装置がある。
そうしたスカム除去装置として例えば、特許文献１がある。
【先行技術文献】
【特許文献】
【０００３】
【特許文献１】  特開２００８−２６０００７
【発明の概要】
【発明が解決しようとする課題】
【０００４】  しかし、上記特許文献においては、カム部分と伝達部分とを有する連動部材を案内支持手段に前後揺動自在に支持して連動機構を構成し堰手段を開閉連動させるようにしてあるため、構造的に煩雑化を招いて装置の簡略化を図れず、また連動部材が水面に没する位置にあるためスカムの流れを阻害してスカムの滞留現象を招くおそれがあった。さらに、連動部材や案内支持手段などの連動機構が池内に装備されているため、設備施工に手間が掛かる問題もあった。【０００５】  この発明は、このような従来の装置が有していた問題を解決しようとするものであり、構造の簡略化とスカムの流れの円滑化および設備施工のし易さなどの点で改善を加えたスカム除去装置を提供することを目的とする。
【課題を解決するための手段】
【０００６】  この発明は上記目的を達成するため、請求項１に記載の発明は、沈澱池などの処理池における水面を境に上下するように設けられた堰手段と誘引したスカムを導出可能なスカム誘引導出部分とを有するとともに、前記堰手段を上下駆動させる駆動手段を有するスカム除去装置において、前記駆動手段は電動式として池上に設置されてソーラー発電により駆動されるように構成されていることを特徴とする。
【発明の効果】
【０００７】  上述したようにこの発明のスカム除去装置によれば、沈澱池などの処理池における水面を境に上下するように設けられた堰手段と誘引したスカムを導出可能なスカム誘引導出部分とを有するとともに、前記堰手段を上下駆動させる駆動手段を有するスカム除去装置において、前記駆動手段は電動式として池上に設置されてソーラー発電により駆動されるように構成されていることを特徴とするので、構造の簡略化とスカムの流れの円滑化および設備施工のし易さなどの点で改善を加えたスカム除去装置を提供することができるようになる。
【図面の簡単な説明】
【０００８】
【図１】  この発明の一実施形態であるスカム除去装置を堰き止め状態において示す斜視図。
【図２】  同スカム除去装置が電動式で駆動されスカム誘引状態を示す斜視図。
【図３】  同スカム除去装置が手動レバーで操作されてスカムを誘引する様子を示す斜視図。
【発明を実施するための形態】
【０００９】  以下、この発明の実施形態を詳細に説明する。
図１は、スカム除去装置についての一実施形態で、１は沈澱池で、図１ではその上流・下流間の略中程構造部分を示す。２は池幅方向に対向する側壁の一方、３は側壁２上の上壁、４は中間歩廊壁で、池幅方向に対称に配置された上壁３，３間を前記中程位置においてつなぐ壁体である。５は越流堰で、各側壁２の下流側部分に長手方向を添わせて設けられ水面７からＶノッチ６を越えてくる清澄水を呑み込むようになっている。
【００１０】  １０はトラフ（誘引導出部分）で、底板部の後部から立ち上がる高い後板部と前部から立ち上がる低い前板部とを有する断面がＪ形でＳＵＳ製のもので、図１の右下方向にさらに少し長い長尺ものでなる。トラフ１０の両側端には端板１１が設けられ、こうしたトラフ１０は、池幅方向に対向する両側壁２，２間に図示しない固定用のブラケット類を介して両端固定状態で装架されている。
１２は連結シートで、トラフ１０の前板部に添って基部が取り付けられて斜め前方に延びて上下に弾性変形可能なゴム製でなる。このシート１２の先端には、中空構造のＳＵＳ製の長尺ものでなり自力浮上可能な堰（堰手段）１３が取付けられて水面７を境にその上端部分が没したりあるいは浮上復帰可能になっている。
【００１１】  １５は可動端板で、上からみてＬ字形板でなって堰１３の両端に取り付けられており、１６は固定端板で、トラフ１０の両端前側に設けられている。これら固定端板１６と可動端板１５との間には、ゴム製で折り返し状に曲げ成形された側面シール材１７が取り付けられて堰１３が上下に動いても自らの弾性変形により常に側方からの水の浸入を阻止するようになっている。
１８はハンドル挿入パイプで、堰１３の上に突設されており、図３に示すように、上方から手動ハンドル１９を差し込んで池上から前後に操作されることにより堰１３を水面７を介して没するように応動させるスカムを呑み込ませることができるようになっている。
【００１２】  ２１は連動アームで、トラフ１０の長手中間に固定したブラケット２２に横軸である回転軸２３を介してその中間が回転自在に取り付けられており、この連動アーム２１は、前部ａと後部ｂとでなり、前部ａは堰１３の上方に伸び後部ｂはトラフ１０の後向きに延びている。
【００１３】  ２５はレバー軸で、連動アーム２１の先端に回転自在に設けられ、このレバー軸２５は付勢スプリング２６を介してレバー２７を常に上向きに付勢するようになっている。レバー２７は四角な通孔２８とその通孔２８内に臨む係合片２９とを備えている。
このレバー２７の通孔２８には、堰１３からブラケット３０を介して立設された連動ロッド３１が通されている。２４はレバー押さえで、ブラケット２２の一側面から前向きに突設されており、レバー２７を押さえて水平姿勢に規定するものになっている。
【００１４】  図１の状態では、連動アーム２１が水平に戻されスプリング２６によりレバー２７により上向きに付勢されながらレバー押さえ２４のストッパ作用を受けて連動アーム２１は水平な状態にある。連動アーム２１が後部ｂを持ち上げられ前部ａが下げられるとスプリング２６の作用で上向きに傾斜しながら前端が下がるようになり、それまで水平であった通孔２８も斜めになるため、係合片２９が連動ロッド３１の表面に係合し同ロッド３１を押し下げるようになり、堰１３を押し下げることになる（図２参照）。
一方、手動ハンドル１９により堰１３を操作すると、連動ロッド３１は水平な通孔２８の中で勝手に上下することになり、連動アーム２１側と無関係に堰１３の上下運動を許すことになる。
【００１５】  連動アーム２１を引き上げる装置は次のようになっている。３３はソーラーパネルで、池上に固定立設したポール３４に取り付けられるとともに、ポール３４には制御盤３５とバッテリー収納部３６が取り付けられている。３７は電動シリンダである駆動手段であり、中間歩廊壁４上に立設した受体３９に装着されてその先端ロッド４０と連動アーム２１の後部ｂとの間を結ぶリンクチェーンである吊り部材４１が歩廊口４２を通じて通されている。
４３は駆動手段３７の上下ストロークを規定するためのリミットスイッチ、４４は外装用の保護ボックスである。
【００１６】  図１は堰１３が水面７上に浮上復帰しスカムＳ…の誘引が停止された状態を示している。ソーラーパネル３３とバッテリー（図示省略）により駆動手段３７が駆動されると、図２に示すように、吊り部材４１により連動アーム２１の後部ｂが吊り上げられ、前部ａが下がるように駆動される。レバー２７は先端が持ち上がるように付勢されることで係合片２９が連動ロッド３１を捉えて下動させ堰１３を押し下げる。
【００１７】  これにより、水面７のスカムＳ…が水を伴って堰１３を越えてトラフ１０内に誘引され右下方向へと導出される。駆動手段３７が逆方向に駆動されると吊り部材４１が弛み堰１３は浮上する。浮上するとレバー２７の先端がレバー押さえ２４に当てって係合片２９と連動ロッド３１との係合関係を外し、図１のように連動ロッド３１が通孔２８内でフリーな動きのできる状態になるとともにスカムを堰き止める状態になる。手動ハンドル１９による操作・応動は図３のように上記の通りである。
【００１８】  尚、前記トラフ１０は、両端固定式でその前側に上下運動可能な堰１３を備えたタイプのものであったが、丸パイプの長手方向に開口を設け、この開口縁が水面に没するとき水面のスカムを呑み込み上昇するとき堰き止めるようにしたパイプスキマーを採用することがある。この場合、電動シリンダのロッドを伸ばしてこのパイプを往復回転自在に応動させるようにする。
【符号の説明】
【００１９】  １…沈澱池  ７…水面  １０…トラフ  １３…堰  ２１…連動アーム  ２７…レバー  ３３…ソーラーパネル  ３５…制御盤  ３６…バッテリー収納部  ３７…駆動手段（電動シリンダ）  ４１…吊り部材  Ｓ…スカム。
【図１】
2012024748.tif 000003
【図２】
2012024748.tif 000004
【図３】
2012024748.tif 000005